(57)【特許請求の範囲】
【請求項１】
ユーザに視認される表面及び当該表面に対向する裏面を有する有色透明で板状の基材と、
前記基材の裏面上に塗布された第１塗料層と、
を備え、
前記裏面は、凹凸が形成された領域を含み、
前記凹凸が形成される領域には当該凹凸が複数の段差を有する領域が含まれ、
前記複数の段差は、前記表面に対して垂直な方向に長さを有する側壁と前記凹凸内で前記表面に対向する面とを交互に連結することによって形成される、
装飾パネル。
【請求項２】
遮光性を有する塗料を塗布することで前記第１塗料層上に形成される第２塗料層を更に備える、
請求項１に記載の装飾パネル。
【請求項３】
前記凹凸は、前記裏面に沿って交差する複数の方向において、厚みが変化するように形成されている、
請求項１又は２に記載の装飾パネル。
【請求項４】
前記第１塗料層は単一色の塗料で形成される、
請求項１から３のいずれか１項に記載の装飾パネル。
【発明の詳細な説明】
【技術分野】
【０００１】
本発明は、装飾パネルに関する。
【背景技術】
【０００２】
主表面が平坦で、その裏面が波形状に板厚の滑らかに変化する基材と、均一な印刷が施され、当該基材の裏面に密着して接合されるシートと、を備える装飾パネルが提案されている（特許文献１）。この装飾パネルでは、板厚が滑らかに変化して、基材の位置ごとに光の透過率が徐変するため、ユーザは、この装飾パネルの主表面側からグラデーションを視認することができる。
【先行技術文献】
【特許文献】
【０００３】
【特許文献１】特開２０１１−００５６８７号公報
【発明の概要】
【発明が解決しようとする課題】
【０００４】
しかしながら、このような装飾パネルでは、裏面に接合されるシートによって模様が付与される。そのため、装飾パネルの裏面をシートが接合できないような複雑な形状にすることはできず、このような装飾パネルで複雑な模様を表現することは困難であった。
【０００５】
本発明は、一側面では、このような点を考慮してなされたものであり、その目的は、複雑な模様を表現可能な装飾パネルを提供することである。
【課題を解決するための手段】
【０００６】
本発明は、上述した課題を解決するために、以下の構成を採用する。
【０００７】
すなわち、本発明の第１形態は、ユーザに視認される表面及び当該表面に対向する裏面を有する有色透明で板状の基材と、前記基材の裏面上に塗布された第１塗料層と、を備え、前記裏面は、凹凸が形成された領域を含む、装飾パネルである。
【０００８】
上記構成では、有色透明で板状の基材の裏面には凹凸が形成されており、その裏面上には第１塗料層が形成される。そのため、第１塗料層により裏面の凹凸に色彩が与えられ、ユーザは、当該凹凸により表現される模様を表面側から視認することができるようになる。
【０００９】
従って、本発明の第１形態によれば、裏面に接合するシートを用いずに装飾パネルに模様を付与することができるようになるため、裏面の凹凸を複雑な形状にすることが可能になり、複雑な模様を表現可能な装飾パネルを提供することが可能になる。特に、本発明においては、基材の裏面に凹凸を形成した後、この裏面に第１塗料を塗布するだけで装飾パネルに模様を付与することができるため、製造が簡易である。
【００１０】
また、本発明の第２形態は、前記凹凸が、前記裏面に沿って交差する複数の方向において、厚みが変化するように形成されている、上記第１形態に係る装飾パネルである。当該第２形態によれば、基材の裏面に形成される凹凸が複雑な形状となるため、複雑な模様の表現された装飾パネルを提供することが可能になる。
【００１１】
また、本発明の第３形態は、前記裏面の凹凸は、前記表面に対して垂直な方向に長さを持つ平坦状の側壁を有する、上記第１形態又は第２形態に係る装飾パネルである。当該第３形態によれば、裏面の凹凸に設けられる側壁は表面に対して垂直な方向に長さを持つため、裏面に形成された凹凸は側壁を挟む両側で板厚の異なる領域を形成している。これにより、裏面に形成された凹凸により表現される模様は、この側壁を境界として、板厚の薄くなっている領域が板厚の厚くなっている領域に比べて表面側に接近して見えるようになっている。
【００１２】
ここで、この凹凸の境界となる側壁は、基材が有色透明であることで光の影になりやすいため、板厚の薄くなっている領域と板厚の厚くなっている領域との間で、当該凹凸により表現される模様に陰影を与えることができる。そのため、本発明の第３形態によれば、立体感のある模様をユーザに視認させることのできる装飾パネルを提供することができる。
【００１３】
また、本発明の第４形態は、前記凹凸が形成される領域には当該凹凸が複数の段差を有する領域が含まれる、上記第３形態に係る装飾パネルである。第４形態によれば、複数の段差を有する凹凸によってユーザに立体感を与えるため、より複雑な立体感のある模様を表現することが可能になる。
【００１４】
また、本発明の第５形態は、遮光性を有する塗料を塗布することで前記第１塗料層上に形成される第２塗料層を更に備える、上記第１形態から第４形態のいずれかの形態に係る装飾パネルである。第５形態によれば、遮光性を備える第２塗料層が第１塗料層上に形成されるため、第１塗料層によって色彩が与えられる裏面の凹凸が判別しやすくなり、装飾パネルに付与される模様をユーザに視認させやすくすることが可能になる。
【００１５】
また、本発明の第６形態は、前記第１塗料層は単一色の塗料で形成される、上記第１形態から第５形態のいずれかの形態に係る装飾パネルである。第６形態によれば、第１塗料層のコストを抑え、装飾パネルをシンプルに作成することが可能である。
【発明の効果】
【００１６】
本発明によれば、複雑な模様を表現可能な装飾パネルを提供することが可能である。
【図面の簡単な説明】
【００１７】
【図１】図１は、第１実施形態に係る装飾パネルの表面を例示する。
【図２】図２は、第１実施形態に係る装飾パネルの裏面を例示する。
【図３】図３は、図１のＡ−Ａ線の断面を模式的に例示する。
【図４】図４は、第２実施形態に係る装飾パネルの表面を例示する。
【図５】図５は、第２実施形態に係る装飾パネルの裏面を例示する。
【図６】図６は、図４のＢ−Ｂ線の断面を模式的に例示する。
【発明を実施するための形態】
【００１８】
以下、本発明の一側面に係る実施の形態（以下、「本実施形態」とも表記する）を、図面に基づいて説明する。ただし、以下で説明する本実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。
【００１９】
§１  第１実施形態
まず、図１〜図３を用いて、第１実施形態に係る装飾パネル１を説明する。図１は、表面１１側から見た装飾パネル１を例示する。図２は、裏面１２側から見た装飾パネル１を例示する。図３は、図１及び図２のＡ−Ａ線の断面を模式的に例示する。なお、説明の便宜のために、図３の上方向（表面１１側）を「上」と、図３の下方向（裏面１２側）を「下」と称することとする。
【００２０】
図１で例示されるように、第１実施形態に係る装飾パネル１は黒色透明（スモーク状）で板状の基材１０を備えている。基材１０は、図１〜図３で例示されるように、矩形状に形成されており、中央にいくにしたがって盛り上がった平面状の表面１１と、当該表面１１に対向し、凹凸１３が形成された領域を含む裏面１２と、を備えている。また、表面１１は、ユーザが見る面であり、平滑な面に仕上げられている。このような基材１０は、黒色透明で板状のアクリル板を射出成形したり、あるいはアクリル板を切削加工したりすることで作製することができる。
【００２１】
次に、主に図３を用いて、裏面１２に形成される凹凸１３を説明する。図２で例示されるように、第１実施形態に係る装飾パネル１では、裏面１２の外周縁に壁のように突出する枠部１５が形成されており、この枠部１５内の全域に凹凸１３が形成されている。しかしながら、ここでは、説明の便宜のために、図１及び図２のＡ−Ａ線上の凹凸１３について説明する。その他の領域の凹凸１３についても、当該Ａ−Ａ線上の凹凸１３と同様に説明可能である。
【００２２】
なお、図３では、裏面１２の各構成要素について、番号とアルファベットとを付している。以下では、同じ番号の付された複数の構成要素をそれぞれ区別する場合に、側壁１３１ａ等のようにアルファベットまで称することにする。また、以下では、説明の便宜上、複数の凸部１３０及び凹部１３３をそれぞれ、第１〜第３凸部１３０ａ〜ｃ及び第１〜第３凹部１３３ａ〜１３３ｃとも称することとする。
【００２３】
図３で例示されるように、Ａ−Ａ線上において、裏面１２に形成される凹凸１３は、複数の凸部１３０及び凹部１３３で構成される。凸部１３０と凹部１３３との間には、表面１１に対して垂直な方向（図中のｙ軸方向）に沿って平坦状の側壁１３１が設けられており、それぞれの領域で基材１０の板厚が異なるようになっている。ここで、平坦状とは、例えば、図３で例示される側壁１３１のように直線的に延びる状態を指す。
【００２４】
より詳細に説明すると、例えば、第１凸部１３０ａは、枠部１５と側壁１３１ａとで挟まれた領域であり、表面１１に対して水平な方向（図中のｘ軸方向）を向いている凸面１３２ａで構成される。第１凸部１３０ａの右隣（図中のｘ軸の正の方向）には、角錐台状に盛り上がった表面１１の傾斜に合わせた凹面１３４ａで構成されている第１凹部１３３ａが設けられている。第１凹部１３３ａの領域は、側壁１３１ａ及び側壁１３１ｂで挟まれた領域であり、側壁１３１ａの長さの分だけ第１凸部１３０ａよりも板厚の薄い領域となっている。なお、凸部１３０の領域の板厚とは、凸面１３２と表面１１との間の距離を示す。また、凹部１３３の領域の板厚とは、凹面１３４と表面１１との間の距離を示す。
【００２５】
第１凹部１３３ａの右隣には、表面１１に対して水平な方向を向いている凸面１３２ｂで構成される第２凸部１３０ｂが設けられている。第２凸部１３０ｂの領域は、側壁１３１ｂ及び側壁１３１ｃで挟まれた領域であり、第１凸部１３０ａ及び第１凹部１３３ａよりも板厚の厚い領域となっている。この第２凸部１３０ｂの右隣には、表面１１に対して水平な方向を向いている凹面１３４ｂで構成される第２凹部１３３ｂが設けられている。第２凹部１３３ｂの領域は、側壁１３１ｃ及び側壁１３１ｄで挟まれた領域であり、第１凹部１３３ａと同じ板厚の領域となっている。
【００２６】
また、第２凹部１３３ｂの右隣には、複数の段差を有する第３凸部１３０ｃが設けられている。第３凸部１３０ｃの領域は、側壁１３１ｄ及び側壁１３１ｆで挟まれた領域であり、凸面１３２ｃの領域と凸面１３２ｄの領域とで板厚の異なる領域となっている。具体的には、凸面１３２ｃの領域は、第２凸部１３０ｂの領域よりも板厚が薄くなっており、凸面１３２ｄの領域は、凸面１３２ｃの領域よりも側壁１３１ｅの長さの分だけ板厚が厚くなっており、凹凸１３の中で最も板厚の厚い領域となっている。つまり、第３凸部１３０ｃの領域では、第２凹部１３３ｂと凸面１３２ｃとの間の段差、及び、凸面１３２ｃと凸面１３２ｄとの間の段差、の２つの段差が設けられている。この第３凸部１３０ｃの右隣には、隣（図中のｘ軸の正の方向）には、角錐台状に盛り上がった表面１１の傾斜に合わせた凹面１３４ｃで構成されている第３凹部１３３ｃが設けられている。第３凹部１３３ｃの領域は、側壁１３１ｆと枠部１５とで挟まれた領域であり、第１凹部１３３ａ及び第２凹部１３３ｂと同じ板厚の領域となっている。なお、射出成形によって凹凸１３の有する基材１０が形成される場合、基材１０の板厚の範囲は、例えば、２〜６ｍｍ程度に設定することができる。基材１０の板厚が２ｍｍ以下になると立体感が表現できなくなる可能性があり、基材１０の板厚が６ｍｍ以上となるとヒケの発生等により成形が困難になるからである。ただし、基材１０の凹凸１３が切削加工で形成される場合、基材１０の板厚は６ｍｍ以上であっても、特に問題は生じない。
【００２７】
以上のように、装飾パネル１の裏面１２のＡ−Ａ線上の凹凸１３は、３つの凸部１３０ａ〜ｃ及び３つの凹部１３３ａ〜ｃで構成されている。このような凹凸１３が形成された裏面１２上（図３では、裏面１２の下側）には、図２及び図３で例示されるように、例えば、吹き付け塗装、印刷、アルミ蒸着、メッキ、インクジェットプリンタ等によって、水色の塗料が塗布されて、塗料層１４が形成される。但し、塗料の色は特には限定されず、水色以外の種々の色を選択することができる。なお、当該塗料層１４は、本発明の第１塗料層に相当する。
【００２８】
続いて、上記のように構成された装飾パネル１の特徴について説明する。上記のように、凹凸１３の上に塗料層１４が形成されると、当該塗料層１４の水色の塗料によって凹凸１３に色彩が与えられる。そのため、表面１１側からこの装飾パネル１を見ると、塗料層１４により色彩の与えられた凹凸１３の形状が模様として確認することができる。
【００２９】
ここで、基材１０は黒色透明の素材で構成されているため、板厚が比較的に厚くなっている裏面１２の領域は、板厚が薄くなっている領域に比べて、表面１１からの光の透過率が低くなり、暗く見える。そのため、上記凹凸１３では、図１で例示されるように、装飾パネル１を表面１１から見たときには、最も板厚が厚くなっている第３凸部１３０ｃの凸面１３２ｄの領域が最も暗く見え、最も板厚が薄くなっている第１〜第３凹部１３３ａ〜ｃの領域が最も明るく見える。
【００３０】
そして、各凸部１３０の凸面１３２と各凹部１３３の凹面１３４との境界に設けられる側壁１３１は、表面１１に対して垂直な方向を向いているため、陰になって見える。そのため、凸部１３０の領域と凹部１３３の領域とを比較すると、図１で例示されるように、比較的明るく見える凹部１３３の領域は、側壁１３１で与えられる陰影によって、表面１１側に飛び出すような印象をユーザに与えることができる。一方、比較的暗く見える凸部１３０の領域は、裏面１２側に沈んでいるような印象をユーザに与えることができる。
【００３１】
また、それぞれの凸部１３０の領域では、その板厚の違いによって、沈み具合の異なった印象をユーザに与えることができる。更に、複数の段差を有する第３凸部１３０ｃの領域では、凸面１３２ｃの領域が、凸面１３２ｄの領域よりも板厚が薄くなっているため、凸面１３２ｄの領域よりも表面１１側に飛び出しているような印象をユーザに与えることができる。このような凹凸１３の見え方の違いによって、装飾パネル１では、立体感のある模様をユーザに視認させることができる。
【００３２】
また、上記装飾パネル１では、塗料層１４は単一色の塗料で形成されている。そのため、塗料層１４のコストを抑え、装飾パネル１をシンプルに作成することが可能である。なお、本実施形態では、装飾パネル１の裏面１２に着色をするために、着色されたシートなどを貼り付けるのではなく、塗料を塗布しているが、その理由は以下の通りである。上記装飾パネル１の裏面１２の凹凸１３は、裏面１２に沿う一の方向に沿って板厚が変化しているのではなく、例えば、図２で例示される方向ｕ及びｖのように、裏面１２上で交差する複数の方向において板厚が変化するような複雑な形状となっている。したがって、このような複雑な形状に対してシートを適切に貼り付けるのは非常に困難であるため、上記のように塗料を塗布している。
【００３３】
なお、図２及び図３で例示されるように、裏面１２の周縁は、下方向に延びる枠部１５が設けられている。タブレットＰＣ（Personal Computer）等の矩形状の端末をこの枠部１５内に嵌め込むことで、この装飾パネル１は、当該タブレットＰＣ等の端末のカバーとして用いることができる。
【００３４】
§２  第２実施形態
次に、図４〜図６を用いて、第２実施形態に係る装飾パネル２を説明する。図４は、表面２１側から見た装飾パネル２を例示する。図５は、裏面２２側から見た装飾パネル２を例示する。図６は、図４及び図５のＢ−Ｂ線の断面を例示する。ここで、装飾パネル２の基材２０、表面２１、裏面２２、凹凸２３、各凸部２３０ａ〜ｄ、各側壁２３１ａ〜ｈ、各凸面２３２ａ〜ｄ、各凹部２３３ａ〜ｅ、各凹面２３４ａ〜ｅ、第１塗料層２４、及び枠部２５は、上記装飾パネル１の基材１０、表面１１、裏面１２、凹凸１３、各凸部１３０ａ〜ｃ、各側壁１３１ａ〜ｆ、各凸面１３２ａ〜ｄ、各凹部１３３ａ〜Ｃ、各凹面１３４ａ〜ｃ、第１塗料層２４、及び枠部２５と、ほぼ同様に説明することができる。そのため、図４〜図６で例示される装飾パネル２について、上記装飾パネル１と同様の部分については説明を省略し、以下では、上記装飾パネル１と異なる部分について説明することにする。
【００３５】
まず、装飾パネル２では、第１塗料層２４で用いられる塗料の色が、上記装飾パネル１の塗料層１４と異なっている。第２実施形態では、第１塗料層２４として金色の塗料が用いられる。但し、第１実施形態と同様に、塗料の色は特には限定されず、金色以外の種々の色を選択することができる。
【００３６】
また、装飾パネル２では、上記装飾パネル１では設けられていない、第２塗料層２６が第１塗料層２４上（図６では、第１塗料層２４の下側）に設けられる。この第２塗料層２６は、遮光性のある塗料が用いられて形成され、表面２１側から入射する光が裏面２２側に透過しないようにする。なお、当該第２実施形態では、図５で例示されるように、遮光性のある塗料として黒色の塗料が用いられているが、第２塗料層２６に用いられる塗料はこのような黒色の塗料に限定されなくてもよい。
【００３７】
更に、装飾パネル２では、凹凸２３の形状が、上記装飾パネル１の凹凸１３と異なっている。より詳細には、第１〜第３凸部２３０ａ〜ｃそれぞれの内側の領域に窪み２３５ａ〜ｃが設けられている。窪み２３５ａは、表面２１に対して垂直な方向（図６のｙ軸方向）を向いている側壁２３６ａ及び２３６ｂと、表面２１に対して水平な方向（図６のｘ軸方向）を向いている底面２３７ａとで構成される。そのため、第１凸部２３０ａの領域において、底面２３７ａの領域は、側壁２３６ａ（側壁２３６ｂ）の長さの分だけ凸面２３２ａの領域よりも板厚の薄い領域となっている。窪み２３５ｂの側壁２３６ｃ、側壁２３６ｄ、及び底面２３７ｂ、並びに、窪み２３５ｃの側壁２３６ｅ、側壁２３６ｆ、及び底面２３７ｃも、窪み２３５ａの側壁２３６ａ、側壁２３６ｂ、及び底面２３７ａと同様である。
【００３８】
すなわち、窪み２３５ａ〜ｃの領域はそれぞれ、第１〜第３凸部２３０ａ〜ｃの領域において、第１〜第３凸部２３０ａ〜ｃの板厚よりも薄い板厚の領域となる。そのため、この装飾パネル２では、図４で例示されるように、装飾パネル２を表面２１側から見ると、窪み２３５ａ〜ｃの領域は、凸部２３０ａ〜ｃの領域のうち凸面２３２ａ〜ｃの領域よりも明るく見える。加えて、この窪み２３５ａ〜ｃの領域それぞれと凸面２３２ａ〜ｃの領域それぞれとの間では、側壁２３６ａ〜ｆによって陰影が与えられる。これによって、装飾パネル２は、裏面２２側に沈んだように見える凸部２３０ａ〜ｃの領域に窪み２３５ａ〜ｃの領域が浮かんでいるような印象をユーザに与えることができる。
【００３９】
なお、装飾パネル２のその他の構成要素については、上記装飾パネル１と同様に説明することができる。そのため、装飾パネル２のその他の構成要素についての説明は省略する。
【００４０】
上記のように構成された装飾パネルは、裏面２２に形成された凹凸２３にそれぞれ第１塗料層２４が作用することで、第１実施形態と同様に、表面２１側から立体感のある模様をユーザに視認させることができる。
【００４１】
また、上記装飾パネル２では、遮光性を有する塗料によって第１塗料層２４の上に第２塗料層２６が形成されている。これにより、上述した第１実施形態と同様の効果に加え、以下の効果を得ることができる。すなわち、装飾パネル２では、表面２１側から入射する光が透過しなくなるため、屋外など，表面２１への光量が多い場合でも、第１塗料層２４の色彩が判別しやすくなる。その結果、凹凸２３によって表現される立体感のある模様をユーザに視認させやすくすることができる。
【００４２】
§３  変形例
以上、本発明の実施の形態を詳細に説明してきたが、前述までの説明はあらゆる点において本発明の例示に過ぎない。本発明の範囲を逸脱することなく種々の改良や変形を行うことができることは言うまでもない。
【００４３】
＜側壁＞
上記第１及び第２実施形態では、模様に陰影を与える側壁（１３１、２３１、及び２３６）はそれぞれ、表面１１及び２１に対して垂直な方向を向いている。しかしながら、側壁（１３１、２３１、及び２３６）はそれぞれ、表面１１及び２１に対して垂直でなくてもよく、表面１１及び２１に対して垂直な方向から、模様の陰影を表現できる程度に傾いていてもよい。すなわち、側壁（１３１、２３１、及び２３６）はそれぞれ、模様の陰影を表現できる程度に、表面１１及び２１に対して垂直な方向の長さを持っていればよい。
【００４４】
＜凸面、凹面、底面＞
また、上記第１及び第２実施形態では、凸面（１３２、２３２）、凹面（１３４、２３４）、及び底面２３７はそれぞれ、表面１１及び２１に対して水平な方向を向いている。しかしながら、凸面（１３２、２３２）、凹面（１３４、２３４）、及び底面２３７はそれぞれ、表面１１及び２１に対して水平でなくてもよく、表面１１及び２１に対して水平な方向から、立体的な模様の面として認識可能な程度に傾いていてもよい。
【００４５】
＜凹凸＞
裏面１２及び２２に形成される凹凸１３及び２３は、あくまでも例示であり、上記のような形状に限定されず、実施の形態に応じて、適宜、選択されてよい。例えば、装飾パネルの裏面に形成される凹凸は、表面側からユーザに視認させる模様に応じて、設けられる。
【００４６】
また、上記第１及び第２実施形態では、凹凸１３及び２３は、裏面１２及び２２の全域に設けられている。しかしながら、凹凸１３及び２３は、裏面１２及び２２の全域ではなく、裏面１１及び２１の一部の領域に設けられてもよい。
【００４７】
また、上記第１及び第２実施形態では、凹凸１３及び２３の凸部１３０及び２３０は、凸面または凹面（表面と平行な面）と側壁との境界の角部がそれぞれ鋭利な角を形成している。しかしながら、この角部は、鋭利に形成されていなくてもよく、丸みを帯びていてもよい。
【００４８】
また、上記第１及び第２実施形態では、複数の凹部１３３及び２３３の領域は、同じ板厚の領域となっているが、少なくとも一部の凹部１３３及び２３３の領域が板厚の異なる領域となっていてもよい。複数の凹部１３３及び２３３の領域の板厚は均一でなくてもよい。
【００４９】
また、上記装飾パネルの裏面の凹凸は、裏面上で交差する複数の方向（裏面に沿ういずれかの複数の方向）において板厚が変化するような複雑な形状となっているが、一方向に沿って板厚が変化するようにしてもよい。例えば、図２において、方向ｕには板厚が変化しないが、方向ｖにのみ板厚が変化するように場合である。このような場合でも、本発明に係る装飾パネルの凹凸が、表面に対して垂直な方向に長さを持つ平坦状の側壁を有していたとしても、塗料を塗布することにより、凹凸全体を隙間なく、簡易に着色することができる。
【００５０】
また、上記装飾パネルの裏面の凹凸における凹面と凸面とは、表面に対して垂直な方向に延びる側壁を介して連結されているが、例えば、垂直な面ではなく、傾斜面によって連結されていてもよい。そして、このような傾斜面は、平坦面で構成されていてもよいし、曲面で構成されていてもよい。
【００５１】
更に、上記装飾パネルの裏面の凹凸は、例えば、柱状、錐状等、表面に対して垂直な方向に長さを持つ平坦状の側壁を有する形状ではなくてもよい。例えば、装飾パネルの裏面の凹凸は球状であってもよい。このような場合でも、シートを用いず裏面に塗料を塗布するだけで、装飾パネルに模様を付与することが可能であるため、簡易に装飾パネルを作成することができ、また、当該装飾パネルにおいて複雑な模様を表現することができる。
【００５２】
以上の凹凸に係る変形例は、適宜組み合わせることができる。
【００５３】
＜第１塗料層＞
上記第１実施形態の装飾パネル１では、塗料層１４の塗料として水色の塗料が用いられている。また、上記第２実施形態の装飾パネル２では、第１塗料層２４の塗料として金色の塗料が用いられている。しかしながら、第１塗料層に用いられる塗料の色は、これらの色に限定されなくてもよく、実施の形態に応じて、適宜、選択されてもよい。例えば、アクリルラッカー系、ウレタン系等の塗料が用いられる。また、第１塗料層に用いられる塗料は、上記第１及び第２実施形態のように、単一色でなくてもよく、複数色であってもよい。この場合、例えば、装飾パネルの裏面の領域ごとに異なる色の塗料が塗布されることで第１塗料層が形成されてもよい。これによって、より色彩の豊かな模様を表現することが可能になる。
【００５４】
＜第２塗料層＞
上記第２実施形態の装飾パネル２では、第２塗料層２６の塗料として黒色の塗料が用いられている。しかしながら、第２塗料層に用いられる塗料の色は、黒色に限定されなくてもよく、例えば、表面側から凹凸の立体感が鮮やかになるような色等、実施の形態に応じて、適宜、選択されてもよい。また、裏面に第２塗料層が設けられない場合、裏面側にＬＥＤ等の光源を配置することで、凹凸により表現される模様を光らせる演出が行われてもよい。
【００５５】
＜用途＞
なお、上記２つの実施形態では、タブレットＰＣのカバーとして用いられる装飾パネルの例を説明した。しかしながら、本発明の装飾パネルは、このようなタブレットＰＣのカバーとして利用される以外に、様々な用途に利用されてよい。例えば、本発明の装飾パネルは、携帯、スマートフォン等の端末のカバー、遊技機、音楽プレーヤー等の筐体用のパネル、及び、各種装置の化粧板として利用することができる。
【００５６】
＜補足＞
また、例えば、装飾パネル１及び２の上述した具体的な構成に関して、実施の形態に応じて、適宜、構成要素の省略、置換、及び、追加が可能である。一例を挙げると、上記装飾パネル１及び２を筐体に埋め込んで用いる場合には、枠部１５及び２５は、省略されてもよい。
【００５７】
また、例えば、装飾パネル１及び装飾パネル２の上述した具体的な構成に関して、各構成要素の材質、位置、大きさ、及び形状は、実施の形態に応じて、適宜、選択及び変更可能である。
【００５８】
一例を挙げると、上記基材１０及び２０は、黒色透明であるが、有色透明であればよい。例えば、基材１０及び２０の色は、茶色、青色、紫色、赤色、緑色等であってもよく、実施の形態に応じて、適宜、選択されてよい。有色透明の基材が用いられる理由は、表面側から凹凸をユーザが視認した場合に、当該凹凸によって表現される模様に立体感が出るように、凹凸の厚みの差による濃淡を生じさせやすくするためである。
【００５９】
また、例えば、上記基材１０及び２０はアクリル板を成形することで作製される。しかしながら、当該基材１０及び２０の材質は、アクリル樹脂に限定されなくてもよく、例えば、ポリカーボネート樹脂（ＰＣ）、ＡＢＳ樹脂、ＡＳ樹脂等であってもよい
【００６０】
また、例えば、上記基材１０及び２０は、角が丸みを帯びた矩形状に形成されている。しかしながら、基材１０及び２０の形状は、このような形状に限定されなくてもよく、例えば、円柱状等、実施の形態に応じて、適宜、決定されてよい。
【００６１】
また、例えば、上記装飾パネル１の凹凸１３は、凸部１３０ｃで例示されるように、２つの段差を有している。しかしながら、装飾パネル１の凹凸１３は、３つ以上の段差を有していてもよいし、複数の段差を有していなくてもよく、例えば、同じ高さの凸部１３０で構成されてもよい。
【符号の説明】
【００６２】
１…装飾パネル、
１０…基材、１１…表面、１２…裏面、１３…凹凸、
１３０…凸部、１３１…側壁、１３２…凸面、１３３…凹部、１３４…凹面
１４…塗料層（第１塗料層）、１５…枠部、
２…装飾パネル、
２０…基材、２１…表面、２２…裏面、２３…凹凸、
２３０…凸部、２３１…側壁、２３２…凸面、２３３…凹部、２３４…凹面、
２３５…窪み、２３６…側壁、２３７…底面、
２４…第１塗料層、２５…枠部、２６…第２塗料層
【要約】
【課題】複雑な模様を表現可能な装飾パネルを提供する。
【解決手段】本発明の一側面に係る装飾パネルは、ユーザに視認される表面及び当該表面に対向する裏面を有する有色透明で板状の基材と、前記基材の裏面上に塗布された第１塗料層と、を備え、前記裏面は、凹凸が形成された領域を含む。
【選択図】図３【図１】
0005564143.tif 000002
【図２】
0005564143.tif 000003
【図３】
0005564143.tif 000004
【図４】
0005564143.tif 000005
【図５】
0005564143.tif 000006
【図６】
0005564143.tif 000007